(57)【要約】      （修正有）【課題】魚介類や動物肉等の加工処理等を洗浄し使用された後の汚水を、きれいな水に処理再生する汚水処理装置（プラント）を提供する。【解決手段】原水槽１と、二つに分離した一次分離槽２と、二次分離槽３と、炭濾過槽４と、オゾン殺菌槽５と、回収濾過槽６を設け、原水槽１に給水口７を設け、原水槽１から一次分離槽２に送水管８を接続し、途中にバブル発生ポンプ９を設け、一次分離槽２と二次分離槽３は、仕切板１０を設けて分離し、その上に浮上物回収溝１１を設け、一次濾過１８、二次濾過１９、三次濾過２０、四次濾過２１、五次濾過２２、六次濾過２３と分割し、又、炭２５を収納し、通水を有する炭容器２６を、一次濾過１８から六次濾過２３までの下は適当な間隔を設けて設置し、そして、一次濾過１８から五次濾過２２までの通水路２８を設け、二次分離槽３から炭濾過槽４に送水管２９を接続し、そして、オゾン殺菌槽５にオゾン発生ポンプ３１を設け、排水口３２を設ける。【選択図】図１
0003134900.tif 000002
【実用新案登録請求の範囲】
【請求項１】
原水槽（１）と、二つに分離した一次分離槽（２）と、二次分離槽（３）と、炭濾過槽（４）と、オゾン殺菌槽（５）と、回収濾過槽（６）を設け、原水槽（１）に給水口（７）を設け、原水槽（１）から一次分離槽（２）に送水管（８）を接続し、途中にバブル発生ポンプ（９）を設け、一次分離槽（２）と二次分離槽（３）は、仕切板（１０）を設けて分離し、その上に浮上物回収溝（１１）を設け、その浮上物回収溝（１１）より吸込口（１２）を設けた回収管（１３）を回収濾過槽（６）に接続し、又、一次分離槽（２）から二次分離槽（３）に送水管（１６）を接続し、途中にバブル発生ポンプ（１７）を設け、そして、炭濾過槽（４）は、仕切板（２４）を各々設け、一次濾過（１８）、二次濾過（１９）、三次濾過（２０）、四次濾過（２１）、五次濾過（２２）、六次濾過（２３）と分割し、又、炭（２５）を収納し、通水を有する炭容器（２６）を、一次濾過（１８）から六次濾過（２３）までの下は適当な間隔を設けて設置し、そして、一次濾過（１８）から五次濾過（２２）まで通水路（２８）設け、二次分離槽（３）から炭濾過槽（４）に送水管（２９）を接続し、そして、オゾン殺菌槽（５）にオゾン発生ポンプ（３１）を設け、排水口（３２）を設けた汚水処理装置。
【請求項２】
炭濾過槽（４）の上に、一次分離槽（２）と二次分離槽（３）を設置した請求項１の汚水処理装置。
【請求項３】
オゾン殺菌槽（５）は、電気分解殺菌槽（３６）とし、電極（３７）を設けた請求項１の汚水処理装置。
【請求項４】
一次分離槽（２）と二次分離槽（３）の上方にエアーノズル（３９）を、途中に数個設けた請求項１の汚水処理装置。
【請求項５】
一次分離槽（２）と二次分離槽（３）の上方に、両側より回動移動する掻板（４０）を設けた請求項１の汚水処理装置。
【請求項６】
一次分離槽（２）と二次分離槽（３）の両外方よりエアーノズル（３９）を設け、その上に蓋（４３）を設けた請求項１の汚水処理装置。
【考案の詳細な説明】
【技術分野】
【０００１】  この考案は、魚介類や動物肉の加工処理等の洗浄し使用された後の汚水を、きれいな水に処理再生する汚水処理装置（プラント）に関するものである。
【背景技術】
【０００２】  従来、魚介類や動物肉等の加工や処理に使用れた汚水は、その汚水の中に浮遊している汚物は網や布で漉し、汚水はそのまま川や海に排水したり。下水に排水されていた。
又、給食施設等においては、生ゴミを細く砕いて下水に排水する装置や機械はあった。
又、工業用の大型の汚水処理の施設はあった。
【考案が解決しょうとする課題】
【０００３】  そのため、次のような問題点があった。
（イ）川や海が汚れ公害や環境破壊につながっていた。
（ロ）生ゴミ等を細かく砕いて下水に流すと、処理場に大きな負担となる。
（ハ）装置等が大型で、場所が広くないと設置できない不都合があった
【課題を解決するための手段】
【０００４】  原水槽（１）と、二つに分離した一次分離槽（２）と、二次分離槽（３）と、炭濾過槽（４）と、オゾン殺菌槽（５）と、回収濾過槽（６）を設ける。
原水槽（１）上部に給水口（７）を設け、原水槽（１）から一次分離槽（２）に送水管（８）を接続し、途中にバブル発生ポンプ（９）を設ける。
一次分離槽（２）と二次分離槽（３）は、仕切板（１０）を設けて分離し、その上に浮上物回収溝（１１）を設け、その浮上物回収溝（１１）より吸込口（１２）を設けた回収管（１３）を回収濾過槽（６）に接続する。その回収濾過槽（６）から原水槽（１）に回収管（１５）で接続する。
一次分離槽（２）から二次分離槽（３）に送水管（１６）を接続し、途中にバブル発生ポンプ（１７）を設ける。
炭濾過槽（４）は、仕切板（２４）を各々設け、一次濾過（１８）、二次濾過（１９）、三次濾過（２０）、四次濾過（２１）、五次濾過（２２）、六次濾過（２３）と、六つに分割する。
又、炭（２５）を収納し、通水を有する炭容器（２６）を設け、一次濾過（１８）から六次濾過（２３）までの下は適当な間隔を設けて設置する。
一次濾過（１８）の両側に通水路（２８）を設ける。
二次濾過（１９）から五次濾過（２２）は一方側に通水路（２８）を設ける。
六次慮過（２３）は、通水路（２８）は設けない。
二次分離槽（３）から炭濾過槽（４）に送水管（２９）を接続する。
炭濾過槽（４）からオゾン殺菌槽（５）に送水管（３０）を接続する。
オゾン殺菌槽（５）にオゾン発生ポンプ（３１）を設け、上方に排水口（３２）を設ける。
【０００５】  又、異なった手段として、オゾン殺菌槽（５）は、電気分解殺菌槽（３６）とし、その中に＋−の電極（３７）を設ける。
以上を特徴とする汚水処理装置。
【考案の効果】
【０００６】（イ）汚水の中の汚物を全部回収し、その水は殺菌処理し、きれいな水にして排水するので、川や海を汚すことがない。したがって、環境破壊にならない。
（ロ）きれいな水になるので、処理された水は再利用できる。
（ハ）炭  過槽の上に一次分離槽と二次分離槽を設置し設けたので、装置全体が小型化し、従来設置できなかった狭い場所にも設置できる
（ニ）装置がコンパクトになり、コストを安くできる。
【考案を実施するための最良の形態】
【０００７】
【０００７】  以下、本考案の実施の形態について説明する。
図面において、図１、図２、図３、図４、図５について説明すると、
（イ）原水槽（１）と、二つに分離した一次分離槽（２）と、二次分離槽（３）と、炭  過槽（４）と、オゾン殺菌槽（５）と、回収濾過槽（６）を設ける。
（ロ）原水槽（１）において、その原水槽（１）の上部に給水口（７）を設け、又、原水槽（１）から一次分離槽（２）に送水管（８）を接続し、途中にバブル発生ポンプ（９）を設ける。
（ハ）一次分離槽（２）と二次分離槽（３）は、仕切板（１０）を設けて分離し、その上に浮上物回収溝（１１）を設け、その浮上物回収溝（１１）の一方より吸込口（１２）を設けた回収管（１３）を回収  過槽（６）に接続する。
（ニ）回収濾過槽（６）は過布（１４）を設け、原水槽（１）と回収管（１５）で接続する。
（ホ）一次分離槽（２）から二次分離槽（３）に送水管（１６）を接続し、途中にバブル発生ポンプ（１７）を設ける。
（ヘ）炭濾過槽（４）は、仕切板（２４）を各々設け、一次濾過（１８）、二次濾過（１９）、三次濾過（２０）、四次濾過（２１）、五次濾過（２２）、六次濾過（２３）と、六つに分割する。
（ト）その仕切板（２４）は、一次濾過（１８）から六次濾過に従って長く設ける。
（チ）又、炭（２５）を収納し、通水を有する炭容器（２６）を設け、その炭容器（２６）は、一次濾過（１８）から六次濾過（２３）に従って、炭容器（２６）の高さ（２７）は、順次に低くして設ける。
（リ）その炭容器（２６）は、一次濾過（１８）から六次濾過（２３）までの下は適当な間隔を設けて設置する。
（ヌ）一次濾過（１８）において、炭容器（２６）は、中央に設け左右に間隔を開けて通水路（２８）を設ける。
（ル）二次濾過（１９）、三次濾過（２０）、四次濾過（２１）、五次濾過（２２）は、左側の一方に寄せて炭容器（２６）を設け、右側に通水路（２８）を設ける。
六次濾過（２３）は、左右には通水路（２８）は設けないで、炭容器（２６）を設ける。
（オ）二次分離槽（３）から炭濾過槽（４）の一次濾過（１８）に送水管（２９）を接続する。
（ワ）炭濾過槽（４）の六次濾過（２３）の上方からオゾン殺菌槽（５）の下方に送水管（３０）を接続する。
（カ）オゾン殺菌槽（５）の下方にオゾン発生ポンプ（３１）を設け、上方に排水口（３２）を設ける。
本考案は、以上のような構成で、これを使用する時は、魚貝類、動物肉等の洗浄や加工処理等に使用した後の原水（３３）を給水口（７）から原水槽（１）に給水し、その原水（３３）は、送水管（８）を通り一次分離槽（２）に送水される。又、一次分離槽（２）から送水管（１６）を通り二次分離槽（３）に送水される。送水管（８）（１６）の途中に設けたバブル発生ポンプ（９）（１７）で原水（３３）に空気を混合して気泡を発生させて一次分離槽（２）、及び、二次分離槽（３）内に送り込むと、不純物が浮いてきて浮上し、その浮上物（３４）は、浮上物回収溝（１１）に流れ込み、吸込口（１２）より吸い込まれ、回収管（１３）を通り回収濾過槽（６）に送水され、過布（１４）で浮上物を漉し、漉されて、ある程度きれいになった原水（３３）は、もう一度原水槽（１）に送水し戻す。
次に、二次分離槽（３）で、ある程度きれいになった原水（３３）は送水管（２９）で炭濾過槽（４）の一次濾過（１８）に送水し、一次濾過槽（１８）から六次濾過（２３）を矢印線（３５）の順で、通水路（２８）と炭容器（２６）内を通過して炭（２５）で、その原水（３８）は、さらに、きれいな水に浄化される。次に、その浄化された原水（３３）は、六次濾過槽（２３）から送水管（３０）からオゾン殺菌槽（５）に送水し、浄化された原水（３３）は、オゾン発生ポンプ（３１）でオゾンを発生させて殺菌作用により殺菌して、きれいな水にして排水する。したがって、原水（３３）の汚水は、きれいな水にして排水するので、川を汚したり、海を汚すことが無くなる。【０００８】  尚、炭濾過槽（４）の上に、一次分離槽（２）と二次分離槽（３）を設置するのが望ましい。このようにすると、装置が小型化できる。【０００９】  次に、図６、図７に示すように、炭  過槽（４）の次に電気分解殺菌槽（３６）を設け、下方に＋−の電極（３７）を設けたものである。
電極に電気を通し、原水（３３）を電気分解させて殺菌するものである。魚介類や動物肉等の洗浄水には塩分が含まれているので、通電が可能である。それでも通電しにくい時は、微量の食塩水（３８）を添加して水に溶すと、通電しやすくなり電気分解作用の効果が増大する。又、食塩を原料として作られた水酸化ナトリウムを添加してもよい。【００１０】  次に、図８に示すように、一次分離槽（２）、二次分離槽（３）における浮上物（３４）の回収効率を高めるために、浮上物回収溝（１１）に向って両側の上よりエアーノズル（３９）を傾むけ、途中に各々数個設けて、水面にエアーを吹きつけ、浮上物（３４）を浮上物回収溝（１１）に吹寄せて回収効率を高めることもできる。【００１１】  次に、図９に示すように、一次分離槽（２）と二次分離槽（３）に各々回動移動する掻板（４０）を設けて、原水（３３）の上方に浮上してきた浮上物（３４）を掻板（４０）で浮上物回収溝（１１）に向って両側より寄せて回収するもので、効率よく浮上物（３４）は回収される。【００１２】  次に、図１０に示すように、一次分離槽（２）と二次分離槽（３）の両外側よりエアーノズル（３９）を設けて浮上物回収溝（１１）に向って、水面にエアーを吹きつけ、浮上物（３４）を浮上物回収溝（１１）に向つて両側より吹寄せて回収効率を高めることもできる。又、エアーを吹きつけて、原水（３３）や浮上物（３４）等が外へ飛び散るのを防ぐために、上に蓋（４３）を設けるのが望ましい。
【図面の簡単な説明】
【００１３】
【図１】本考案の全体正面図である。
【図２】本考案の工程図である。
【図３】本考案の図１中、一次分離槽と二次分離槽のＡーＡ矢視の平面図である。
【図４】本考案の図１中の一次分離槽と二次分離槽の一部分の拡大斜面図である。
【図５】本考案の図４中の、ＢーＢ矢視の一部分の拡大正面図で、使用例を示す。
【図６】本考案の異なった実施例を示す工程図である。
【図７】本考案の異なった実施例を示す一部分の拡大正面図で、使用例を示す。
【図８】本考案の異なった実施例を示す一部分の正面の拡大断面図で、使用例を示す。
【図９】本考案の異なった実施例を示す一部分の正面の拡大断面図で、使用例を示す。
【図１０】本考案の異った実施例を示す一部分の正面の拡大断面図で、使用例を示す。
【符号の説明】
【００１４】  １  原水槽
２  一次分離槽
３  二次分離槽
４  炭濾過槽
５  オゾン殺菌槽
６  回収濾過槽
７  給水管
８  送水管
９  バブル発生ポンプ
１０  仕切板
１１  浮上物回収溝
１２  吸込口
１３  回収管
１４  過布
１５  回収管
１６  送水管
１７  バブル発生ポンプ
１８  一次濾過
１９  二次濾過
２０  三次濾過
２１  四次濾過
２２  五次濾過
２３  六次濾過
２４  仕切板
２５  炭
２６  炭容器
２７  高さ
２８  通水路
２９  送水管
３０  送水管
３１  オゾン発生ポンプ
３２  排水口
３３  原水
３４  浮上物
３５  矢印線
３６  電気分解殺菌槽
３７  電極
３８  食塩水
３９  エアーノズル
４０  掻板
４１  支軸
４２  チェン
４３  蓋
【図１】
0003134900.tif 000003
【図２】
0003134900.tif 000004
【図３】
0003134900.tif 000005
【図４】
0003134900.tif 000006
【図５】
0003134900.tif 000007
【図６】
0003134900.tif 000008
【図７】
0003134900.tif 000009
【図８】
0003134900.tif 000010
【図９】
0003134900.tif 000011
【図１０】
0003134900.tif 000012